(57)【要約】【課題】図書館の職員が書棚へ行って行う作業を効率的に行えるようにすることを目的とする。【解決手段】図書館業務支援装置１００は、ブックカートに取り付けられている。図書館業務支援装置は、ブックカートに取り付けられたセンサによって、書棚に取り付けられたマーカから、書棚の識別子を読み取っていない非読取時には、図書館の地図を表示し、マーカから識別子を読み取っている読取時には、読み取った識別子が示す書棚における処理対象の本の情報を表示する。【選択図】図１
2015176224.tif 000002
【特許請求の範囲】
【請求項１】
ブックカートに取り付けられ、図書館における業務を支援する図書館業務支援装置であり、
前記ブックカートに取り付けられた書棚用センサによって、書棚に取り付けられたマーカから、書棚の識別子を読み取る書棚識別子読取部と、
前記書棚識別子読取部がマーカから識別子を読み取っていない非読取時には、前記図書館の地図を表示し、前記書棚識別子読取部がマーカから識別子を読み取っている読取時には、読み取った識別子が示す書棚における処理対象の本の情報を表示する情報表示部と
を備えることを特徴とする図書館業務支援装置。
【請求項２】
前記情報表示部は、前記非読取時には、前記地図に示された書棚のうち、処理対象の本がある書棚に印を表示する
ことを特徴とする請求項１に記載の図書館業務支援装置。
【請求項３】
前記図書館業務支援装置は、さらに、
処理対象の本毎に、処理内容の種類を記憶する処理情報記憶部
を備え、
前記情報表示部は、前記読取時には、前記処理対象の本の情報とともに、その本について前記処理情報記憶部が記憶した処理内容の種類を表示する
ことを特徴とする請求項１又は２に記載の図書館業務支援装置。
【請求項４】
前記図書館業務支援装置は、さらに、
本用センサによって、前記処理対象の本に付されたマーカから本の識別子を読み取る本識別子読取部
を備え、
前記情報表示部は、前記読取時には、前記本識別子読取部が識別子を読み取った本についての情報を非表示にする
ことを特徴とする請求項１又は２に記載の図書館業務支援装置。
【請求項５】
前記情報表示部は、前記図書館の地図を表示している場合に、前記書棚識別子読取部がマーカからの識別子を読み取ると、連動して、読み取った識別子が示す書棚における処理対象の本の情報の表示に切り替え、書棚における処理対象の本の情報を表示している場合に、前記書棚識別子読取部がマーカからの識別子を読み取らなくなると、連動して、前記図書館の地図の表示に切り替える
ことを特徴とする請求項１から４までのいずれかに記載の図書館業務支援装置。
【請求項６】
ブックカートと、前記ブックカートに取り付けられた書棚用センサと、前記ブックカートに取り付けられ、図書館における業務を支援する図書館業務支援装置とを備える図書館業務支援システムであり、
前記図書館業務支援装置は、
前記書棚用センサによって、書棚に取り付けられたマーカから、書棚の識別子を読み取る書棚識別子読取部と、
前記書棚識別子読取部がマーカから識別子を読み取っていない非読取時には、前記図書館の地図を表示し、前記書棚識別子読取部がマーカから識別子を読み取っている読取時には、読み取った識別子が示す書棚における処理対象の本の情報を表示する情報表示部と
を備えることを特徴とする図書館業務支援システム。
【発明の詳細な説明】
【技術分野】
【０００１】
この発明は、図書館における返却確認、予約本の取り置き、特集本の取り込み、本の在架確認等の業務を支援する技術に関する。
【背景技術】
【０００２】
図書館では、貸出期間を過ぎても返却されていない本（延滞本）がある場合に、本当に返却されていないこと（書棚に本がないこと）を確認する延滞本業務、インターネット等を介して本の予約があった場合に、予約された本を書棚から回収して取り置いておく予約本業務、あるジャンルの本を集めた特集棚を作成する場合に、該当の本を事前に回収して取り置いておく特集本業務、棚卸を行うため、本の在架確認を行う点検業務等が行われる。これらの業務では、図書館の職員は、館内に設置された書棚へ行って、本を探す作業を行う。
【０００３】
通常、職員は、業務毎に、対象となる本の情報が印刷された紙を持って、書棚へ行って作業を行う。つまり、延滞本業務を行う場合には、延滞本業務の対象となっている本の一覧を持って、書棚へ行って作業を行い、予約本業務を行う場合には、予約本業務の対象となっている本の一覧を持って、書棚へ行って作業を行う。
【先行技術文献】
【特許文献】
【０００４】
【特許文献１】特開２００５−２０２６０６号公報
【発明の概要】
【発明が解決しようとする課題】
【０００５】
図書館には、多数の書棚があるため、対象となっている本を探す場合、まず本が置かれている書棚を探し、探した書棚から対象となっている本を探す。しかし、熟練した職員でないと、本が置かれている棚を探すのに時間がかかる場合がある。
また、図書館は広いため、業務毎に何度も書棚を回って対象の本を探していると、たとえ熟練した職員であっても時間がかかってしまう。
【０００６】
この発明は、図書館の職員が書棚へ行って行う作業を効率的に行えるようにすることを目的とする。
【課題を解決するための手段】
【０００７】
この発明に係る図書館業務支援装置は、
ブックカートに取り付けられ、図書館における業務を支援する図書館業務支援装置であり、
前記ブックカートに取り付けられた書棚用センサによって、書棚に取り付けられたマーカから、書棚の識別子を読み取る書棚識別子読取部と、
前記書棚識別子読取部がマーカから識別子を読み取っていない非読取時には、前記図書館の地図を表示し、前記書棚識別子読取部がマーカから識別子を読み取っている読取時には、読み取った識別子が示す書棚における処理対象の本の情報を表示する情報表示部と
を備えることを特徴とする。
【０００８】
前記情報表示部は、前記非読取時には、前記地図に示された書棚のうち、処理対象の本がある書棚に印を表示する
ことを特徴とする。
【０００９】
前記図書館業務支援装置は、さらに、
処理対象の本毎に、処理内容の種類を記憶する処理情報記憶部
を備え、
前記情報表示部は、前記読取時には、前記処理対象の本の情報とともに、その本について前記処理情報記憶部が記憶した処理内容の種類を表示する
ことを特徴とする。
【００１０】
前記図書館業務支援装置は、さらに、
本用センサによって、前記処理対象の本に付されたマーカから本の識別子を読み取る本識別子読取部
を備え、
前記情報表示部は、前記読取時には、前記本識別子読取部が識別子を読み取った本についての情報を非表示にする
ことを特徴とする。
【００１１】
この発明に係る図書館業務支援システムは、
ブックカートと、前記ブックカートに取り付けられた書棚用センサと、前記ブックカートに取り付けられ、図書館における業務を支援する図書館業務支援装置とを備える図書館業務支援システムであり、
前記図書館業務支援装置は、
前記書棚用センサによって、書棚に取り付けられたマーカから、書棚の識別子を読み取る書棚識別子読取部と、
前記書棚識別子読取部がマーカから識別子を読み取っていない非読取時には、前記図書館の地図を表示し、前記書棚識別子読取部がマーカから識別子を読み取っている読取時には、読み取った識別子が示す書棚における処理対象の本の情報を表示する情報表示部と
を備えることを特徴とする。
【発明の効果】
【００１２】
この発明に係る図書館業務支援装置では、移動時には識別子を読み取っていない非読取時となり、地図が表示され、特定の書棚の前に止まっている時には識別子を読み取っている読取時となり、処理対象の本の情報が表示される。そのため、処理対象の本を効率的に探すことが可能となる。
【図面の簡単な説明】
【００１３】
【図１】実施の形態１に係る図書館業務支援システム１００の構成図。
【図２】図書館サーバ５０が記憶する情報を示す図。
【図３】実施の形態１に係る図書館業務支援装置２０の機能構成図。
【図４】処理情報抽出部２１が抽出する情報を示す図。
【図５】情報表示部２５が非読取時に表示する地図を示す図。
【図６】情報表示部２５が読取時に表示する処理対象の本の情報を示す図。
【図７】実施の形態１に係る図書館業務支援システム１００の動作を示す処理フロー図。
【図８】実施の形態１に示した図書館業務支援装置２０、図書館サーバ５０のハードウェア構成の例を示す図。
【発明を実施するための形態】
【００１４】
実施の形態１．
図１は、実施の形態１に係る図書館業務支援システム１００の構成図である。
図書館業務支援システム１００は、ブックカート１０、図書館業務支援装置２０、読取装置３０（書棚用センサの一例）、バーコードリーダ４０（本用センサの一例）、図書館サーバ５０を備える。
【００１５】
ブックカート１０は、本を運ぶために用いられる、車輪の付いた高さ１〜１．２メートル程度のスチール棚である。
【００１６】
図書館業務支援装置２０は、ブックカート１０に設置され、図書館の職員が書棚へ行って行う作業を支援するＰＣ等の装置である。
【００１７】
読取装置３０は、ブックカート１０の所定の位置に取り付けられ、図書館内の各書棚に取り付けられたＲＦＩＤ（Ｒａｄｉｏ  Ｆｒｅｑｕｅｎｃｙ  ＩＤｅｎｔｉｆｉｃａｔｉｏｎ）タグ等のマーカから、棚ＩＤ（書棚の識別子）を読み取る。読取装置３０は、図書館業務支援装置２０にネットワーク等を介して接続されており、読み取られた棚ＩＤは、図書館業務支援装置２０へ送信される。
なお、各書棚には、所定の位置にマーカが取り付けられており、ブックカート１０が書棚の前の指定位置に止められると、読取装置３０がその書棚に取り付けられたマーカから棚ＩＤを読み出すようになっている。
【００１８】
バーコードリーダ４０は、各本に取り付けられたバーコードから、資料ＩＤ（本の識別子）を読み取る。バーコードリーダ４０は、図書館業務支援装置２０にネットワーク等を介して接続されており、読み取られた資料ＩＤは、図書館業務支援装置２０へ送信される。
【００１９】
図書館サーバ５０は、図書館の本に関する情報を管理するサーバである。
図書館業務支援装置２０は、無線ＬＡＮ等のネットワークによって、図書館サーバ５０に接続されている。図書館サーバ５０が管理する本に関する情報は、図書館業務支援装置２０によって参照され、更新される。また、図書館サーバ５０が管理する本に関する情報は、図書館業務支援装置２０だけでなく、本の貸し出し業務を行う貸出システムや、本の予約業務を行う予約システム等からも参照され、更新される。
【００２０】
実施の形態１に係る図書館業務支援システム１００の概要を説明する。
図書館の職員は、書棚へ行って作業を行う際、図書館業務支援装置２０、読取装置３０、バーコードリーダ４０が取り付けられたブックカート１０を持って行く。
図書館業務支援装置２０は、起動されると、図書館サーバ５０から処理対象の本の情報を読み出す。処理対象の本とは、延滞本業務、予約本業務、特集本業務、点検業務等の各業務で処理が必要となる本のことである。そして、図書館業務支援装置２０は、ブックカート１０が移動している移動時（後述する非読取時）には、処理対象の本がある書棚に印を付した、図書館の館内の地図を表示し、ブックカート１０が書棚の前の指定位置に止められた停止時（後述する読取時）には、その書棚に置かれた処理対象の本の情報を表示する。
【００２１】
職員は、移動時には、表示された地図を参照して、処理対象の本がある書棚の位置を確認し、例えば近い書棚へ向かい、停止時には、表示された処理対象の本の情報を参照して、その書棚で処理が必要な本に関する処理を行う。
特に、図書館業務支援装置２０は、停止時には、その書棚に置かれた本のうち、ある業務（例えば、延滞本業務）で処理が必要となる本の情報だけを表示するのではなく、全ての業務で処理が必要となる本の情報を表示する。そのため、職員は、停止時には、その書棚で処理が必要な本に関して、全ての業務の処理をまとめて行うことができる。つまり、職員は、業務毎に、書棚を回るのではなく、書棚毎に、全ての業務をまとめて行うことができる。
【００２２】
これにより、職員が、処理対象の本が置かれた書棚を探して、うろうろと歩き回ることがなくなり、また、業務毎に書棚を回ることもなくなる。そのため、職員の無駄な移動が減り、処理対象の本を効率的に探すことが可能となる。
【００２３】
実施の形態１に係る図書館業務支援システム１００の詳細を説明する。
まず図書館サーバ５０が記憶する情報を説明した上で、図書館業務支援装置２０の機能について説明する。そして、図書館業務支援システム１００の動作について説明する。
【００２４】
図２は、図書館サーバ５０が記憶する情報を示す図である。
図書館サーバ５０は、資料マスタ、書誌マスタ、予約マスタ、貸出マスタ、特集マスタ、棚変換マスタ、棚マスタ等を記憶する。
【００２５】
資料マスタは、本毎に、その本に関する情報を記憶するマスタである。
資料マスタには、資料ＩＤ、書誌ＩＤ、所蔵場所ＩＤ、請求記号、形態、対象、購入日、所在場所ＩＤ、資料状態、点検状況等の情報が記憶される。資料ＩＤは、本毎に割り当てられた識別子である。書誌ＩＤは、本の種類毎に割り当てられた識別子である。つまり、図書館には、同じ本（同じ種類の本）が数冊ある場合があるが、この場合、資料ＩＤは同じ本であっても異なる識別子が割り当てられ、書誌ＩＤは同じ本であれば同じ識別子が割り当てられる。所蔵場所ＩＤ、請求記号、形態、対象は、本が置かれる棚を示す属性情報である。購入日は、本を購入した日を示す情報である。所在場所ＩＤは、本が現在どこにあるかを示す情報である。点検状況は、本の在架確認状況を示すステータスである。
【００２６】
書誌マスタは、本の種類毎（書誌ＩＤ毎）に、書名、著者名等を記憶するマスタである。
【００２７】
予約マスタは、本の種類毎（書誌ＩＤ毎）に、利用者ＩＤ、予約日時、予約状態等を記憶するマスタである。利用者ＩＤは、利用者の識別子であり、予約している利用者を示す。予約日時は、予約が入れられた日時を示す。予約状態は、本が取り置きされたか否か等の状態を示すステータスである。
【００２８】
貸出マスタは、本毎（資料ＩＤ毎）に、利用者ＩＤ、貸出日時、返却期日等を記憶するマスタである。利用者ＩＤは、利用者の識別子であり、貸し出している利用者を示す。貸出日時は、貸し出した日時を示す。返却期日は、返却期限日を示す。
【００２９】
特集マスタは、本毎（資料ＩＤ毎）に、特集ＩＤ、場所ＩＤ、開始日、終了日、特集状態等を記憶するマスタである。特集マスタは、あるジャンルの本を集めた特集棚を作成する場合に、該当の本の情報を記憶するマスタである。特集ＩＤは、特集の識別子である。場所ＩＤは、特集棚が設置される場所の識別子である。開始日、終了日は、特集の開始日及び終了日である。特集状態は、本が取り置きされたか否か等の状態を示すステータスである。
【００３０】
棚変換マスタは、棚ＩＤ毎に、所蔵場所ＩＤ、請求記号、形態、対象を記憶するマスタである。棚ＩＤは、書棚の識別子である。棚変換マスタを引くことにより、資料マスタの所蔵場所ＩＤ、請求記号、形態、対象から、棚ＩＤを特定できる。
【００３１】
棚マスタは、棚ＩＤ毎に、棚位置Ｘ、棚位置Ｙを記憶するマスタである。棚位置Ｘ，Ｙは、書棚のＸ，Ｙ座標を示す。
【００３２】
資料マスタや書誌マスタは、本の購入、廃棄等に関する資料管理業務において、メンテナンス（登録・修正・削除）される。また、貸出マスタは、貸出システムによって、利用者への本の貸出処理によって情報が登録され、返却処理によって情報が削除される。また、予約マスタは、予約システムによって、利用者の予約を受け付けると情報が登録され、貸し出しが行われた場合や、利用者が予約を取り消した場合に情報が削除される。特集マスタは、特集に関する資料管理業務において、メンテナンス（登録・修正・削除）される。
【００３３】
図３は、実施の形態１に係る図書館業務支援装置２０の機能構成図である。
図書館業務支援装置２０は、処理情報抽出部２１、処理情報記憶部２２、書棚識別子読取部２３、本識別子読取部２４、情報表示部２５、情報更新部２６を備える。
【００３４】
処理情報抽出部２１は、図書館サーバ５０から処理対象の本の情報を読み出す。
具体的には、処理情報抽出部２１は、返却期日を超過した貸出本である延滞本、予約が入れられた本である予約本、特集棚に置く本である特集本、在架確認が済んでいない本である未点検本等の本を処理対象の本として特定する。
処理情報抽出部２１は、貸出マスタから、返却期日を超過した本の資料ＩＤを抽出することにより、延滞本を特定する。処理情報抽出部２１は、予約マスタから、予約状態が未取置状態の本の資料ＩＤを抽出することにより、予約本を特定する。処理情報抽出部２１は、特集マスタから、特集状態が未取置状態の本の資料ＩＤを抽出することにより、特集本を特定する。処理情報抽出部２１は、資料マスタから、点検状態が未点検の本の資料ＩＤを抽出することにより、未点検本を特定する。
そして、処理情報抽出部２１は、特定した本について、図４に示すように、資料ＩＤ、書誌ＩＤ、書名、著者、請求記号、形態、対象、処理業務、棚ＩＤ、棚位置Ｘ、棚位置Ｙ等の情報を抽出して、処理情報記憶部２２に記憶する。なお、処理業務には、延滞本、予約本、特集本、未点検本のいずれに該当するかを示す情報が格納される。
【００３５】
書棚識別子読取部２３は、読取装置３０により、書棚に取り付けられたマーカから棚ＩＤを読み取る。書棚識別子読取部２３は、定期的に（例えば、０．１秒毎）棚ＩＤの読み取り処理を実行する。
【００３６】
本識別子読取部２４は、バーコードリーダ４０により、本に取り付けられたバーコードから資料ＩＤを読み取る。
【００３７】
情報表示部２５は、書棚識別子読取部２３がマーカから棚ＩＤを読み取っていない非読取時には、ブックカート１０が移動中であるとして、処理対象の本がある書棚に印を付した、図書館の館内の地図を表示する。情報表示部２５は、書棚識別子読取部２３がマーカから棚ＩＤを読み取っている読取時には、ブックカート１０が棚ＩＤが示す書棚の前に止められているとして、その書棚に置かれた処理対象の本の情報を表示する。
【００３８】
情報更新部２６は、本識別子読取部２４がバーコードから資料ＩＤを読み取ると、資料ＩＤが示す本についての処理が完了したとして、図書館サーバ５０が記憶した情報を更新する。
具体的には、情報更新部２６は、延滞本の資料ＩＤが読み取られた場合、実際には本が返却されていたということを意味するため、返却処理を行い、貸出マスタ等を更新する。情報更新部２６は、予約本の資料ＩＤが読み取られた場合、予約本の取り置きが完了したことを意味するため、予約マスタの予約状態を取置済に更新する。情報更新部２６は、特集本の資料ＩＤが読み取られた場合、特集本の取り置きが完了したことを意味するため、特集マスタの特集状態を取置済に更新する。情報更新部２６は、未点検本の資料ＩＤが読み取られた場合、点検が済んだことを意味するため、資料マスタの点検状況を点検済に更新する。
なお、延滞本及び未点検本の資料ＩＤが読み取られた場合には、職員は本を書棚へ戻し、予約本及び特集本の資料ＩＤが読み取られた場合には、職員は本を取り置きのためブックカート１０に入れる。
【００３９】
図５は、情報表示部２５が非読取時に表示する地図を示す図である。
情報表示部２５は、非読取時には、処理対象の本がある書棚に印を付した、図書館の館内の地図を表示する。図５では、処理対象の本がある書棚に×印を重ねて表示している。情報表示部２５は、処理情報記憶部２２に記憶された棚ＩＤ、棚位置Ｘ、棚位置Ｙを参照して、処理対象の本がある書棚を特定し、処理対象の本がある書棚に×印を重ねて表示する。
なお、情報表示部２５は、さらに、処理対象の本がある書棚を効率的に回ることができる経路２５１を表示してもよい。各書棚について、１度寄れば、その書棚に関する業務を全て終えることが可能である。そのため、経路２５１に沿って順に各書棚に置かれた処理対象の本について処理を行えば、効率的に処理を行うことができる。
また、１度寄った書棚については、立ち寄り済として、印が変更される。例えば、図５では、×印を薄くする、×印を他の印に変更する等してもよい。
【００４０】
図６は、情報表示部２５が読取時に表示する処理対象の本の情報を示す図である。
情報表示部２５は、読取時には、処理対象の本の情報を一覧表示する。図６では、行毎に、処理対象の本の情報を並べ、資料ＩＤ、書名、著者名、形態、対象、状態を表示している。
情報表示部２５は、本識別子読取部２４がバーコードから資料ＩＤを読み取ると、読み取られた本の情報を、一覧とは別に下部に表示する。さらに、情報表示部２５は、読み取られた本の状態（本が、延滞本であるか、予約本であるか、特集本であるか、未点検本であるか）に応じて、本を書棚へ戻すのか、ブックカート１０へ入れるのか等を示すメッセージを表示する。また、情報表示部２５は、読み取られた本の情報を一覧から削除する。
【００４１】
図７は、実施の形態１に係る図書館業務支援システム１００の動作を示す処理フロー図である。
図７では、職員、ブックカート１０に設置された図書館業務支援装置２０以外の機器、図書館業務支援装置２０、図書館サーバ５０それぞれの動作を示している。
職員が作業を開始して（１）、図書館業務支援装置２０等が起動される（２）。すると、図書館業務支援装置２０の処理情報抽出部２１は、図書館サーバ５０から処理対象の本の情報を抽出して、処理情報記憶部２２に記憶する（３）。この際、処理情報抽出部２１は、図書館サーバ５０へＳＱＬ等の情報取得要求を送信し、図書館サーバ５０は要求された情報を各マスタから取得して返信する（４）。
【００４２】
図書館業務支援装置２０の情報表示部２５は、地図モードで動作し、地図を表示する（５）。すると、図書館業務支援装置２０の表示装置に、処理対象の本がある書棚が示された地図が表示される（６）。職員は、地図を参照して、移動先の書棚を決定し（７）、目的の書棚へ移動する（８）。
職員は、目的の書棚に到着すると、ブックカート１０を指定位置に止める（９）。すると、読取装置３０が書棚に取り付けられたマーカを認識し（１０）、図書館業務支援装置２０の書棚識別子読取部２３は、棚ＩＤを読み取る（１１）。
【００４３】
図書館業務支援装置２０の情報表示部２５は、読み取った棚ＩＤをキーとして、処理情報記憶部２２が記憶した情報から、棚ＩＤが示す書棚に置かれた処理対象の本の情報を抽出する（１２）。そして、情報表示部２５は、地図モードから一覧モードに切り替え、抽出した処理対象の本を一覧表示する（１３）。すると、図書館業務支援装置２０の表示装置に、処理対象の本の一覧が表示される（１４）。職員は、表示された本の情報を参照して、書棚から本を探す（１５）。
職員は、本を発見した場合、本に取り付けられたバーコードをバーコードリーダ４０によりスキャンする（１６）。すると、バーコードリーダ４０は、資料ＩＤを認識し（１７）、図書館業務支援装置２０の本識別子読取部２４は、資料ＩＤを読み取る（１８）。
【００４４】
図書館業務支援装置２０の情報表示部２５は、読み取った資料ＩＤをキーとして、処理情報記憶部２２が記憶した情報から、処理業務の情報を抽出する（１９）。すると、図書館業務支援装置２０の情報更新部２６は、抽出された処理業務に応じて、図書館サーバ５０に更新情報を送信する（２０）。図書館サーバ５０は、送信された情報を受信し（２１）、マスタを更新する（２２）。
そして、図書館業務支援装置２０の情報表示部２５は、処理結果や、発見した本を書棚へ戻すのか、ブックカート１０へ入れるのか等を示すメッセージを表示する（２３）。すると、図書館業務支援装置２０の表示装置に、メッセージが表示される（２４）。
現在の書棚についての業務が残っている場合には、職員は、次の本を探す（２５）。そして、処理は（１６）へ戻り、（１６）から（２５）の処理が一覧表示された本の分、繰り返される。
【００４５】
一方、現在の書棚についての業務が終わった場合には、職員は、ブックカート１０を移動させる（２６）。すると、読取装置３０が書棚に取り付けられたマーカを認識しなくなり（２７）、図書館業務支援装置２０の情報表示部２５は、一覧モードから地図モードに切り替え、地図を表示する（２８）。すると、図書館業務支援装置２０の表示装置に、処理対象の本がある書棚が示された地図が表示される（２９）。この際、１度寄った書棚については、立ち寄り済として、印が変更される。
職員は、地図を参照して、移動先の書棚を決定する（３０）。そして、処理は（８）へ戻り、（８）から（３０）の処理が処理対象の本がある書棚分、繰り返される。
【００４６】
以上のように、実施の形態１に係る図書館業務支援システム１００では、移動時には、処理対象の本がある書棚に印が付された地図が表示され、特定の書棚の前に止まっている時には、その書棚にある処理対象の本の情報が表示される。そのため、処理対象の本を効率的に探すことが可能となる。
【００４７】
特に、実施の形態１に係る図書館業務支援システム１００を用いれば、業務毎に書棚を回る必要がなくなり、効率的に処理を行うことが可能である。
【００４８】
図８は、実施の形態１に示した図書館業務支援装置２０、図書館サーバ５０のハードウェア構成の例を示す図である。
図書館業務支援装置２０、図書館サーバ５０は、コンピュータである。図書館業務支援装置２０、図書館サーバ５０の各要素をプログラムで実現することができる。
図書館業務支援装置２０、図書館サーバ５０のハードウェア構成としては、バスに、演算装置９０１、外部記憶装置９０２、主記憶装置９０３、通信装置９０４、入出力装置９０５が接続されている。
【００４９】
演算装置９０１は、プログラムを実行するＣＰＵ（Ｃｅｎｔｒａｌ  Ｐｒｏｃｅｓｓｉｎｇ  Ｕｎｉｔ）等である。外部記憶装置９０２は、例えばＲＯＭ（Ｒｅａｄ  Ｏｎｌｙ  Ｍｅｍｏｒｙ）やフラッシュメモリ、ハードディスク装置等である。主記憶装置９０３は、例えばＲＡＭ（Ｒａｎｄｏｍ  Ａｃｃｅｓｓ  Ｍｅｍｏｒｙ）等である。通信装置９０４は、例えば通信ボード等である。入出力装置９０５は、例えばマウス、キーボード、ディスプレイ装置等である。
【００５０】
プログラムは、通常は外部記憶装置９０２に記憶されており、主記憶装置９０３にロードされた状態で、順次演算装置９０１に読み込まれ、実行される。
プログラムは、処理情報抽出部２１、書棚識別子読取部２３、本識別子読取部２４、情報表示部２５、情報更新部２６として説明している機能を実現するプログラムである。
更に、外部記憶装置９０２にはオペレーティングシステム（ＯＳ）も記憶されており、ＯＳの少なくとも一部が主記憶装置９０３にロードされ、演算装置９０１はＯＳを実行しながら、上記プログラムを実行する。
また、実施の形態１の説明において、処理情報記憶部２２、図書館サーバ５０が記憶すると説明した情報等が主記憶装置９０３にファイルとして記憶されている。
【００５１】
なお、図８の構成は、あくまでも図書館業務支援装置２０、図書館サーバ５０のハードウェア構成の一例を示すものであり、図書館業務支援装置２０、図書館サーバ５０のハードウェア構成は図８に記載の構成に限らず、他の構成であってもよい。
【符号の説明】
【００５２】
１０  ブックカート、２０  図書館業務支援装置、２１  処理情報抽出部、２２  処理情報記憶部、２３  書棚識別子読取部、２４  本識別子読取部、２５  情報表示部、２６  情報更新部、３０  読取装置、４０  バーコードリーダ、５０  図書館サーバ、１００  図書館業務支援システム。
【図１】
2015176224.tif 000003
【図２】
2015176224.tif 000004
【図３】
2015176224.tif 000005
【図４】
2015176224.tif 000006
【図５】
2015176224.tif 000007
【図６】
2015176224.tif 000008
【図７】
2015176224.tif 000009
【図８】
2015176224.tif 000010